(57)【要約】【課題】開蓋の際に化粧品が他の収容部に収納された化粧品と混じってしまうことがなく、或いは、化粧品が他の収容部の収納された塗布具を汚損する虞がなく、また、取り扱いも便利なコンパクト容器を提案する。【解決手段】中皿嵌合部１２が形成された皿状の容器本体Ａと、二つの収容部３５を有する中皿Ｂと、容器本体にそれぞれ開方向付勢状態で連結し、各収容部３５の上面をそれぞれ開閉可能に閉塞する一対の蓋体Ｄと、各蓋体の個別の係止、係止解除が可能な蓋開閉部材Ｃとを備えている。蓋開閉部材は、開状態の各蓋体を個別に閉じることで、各蓋体の個別の係止が可能な係止機構と、該係止機構と連係し、外方付勢状態で容器本体周壁に押し込み可能に臨ませた一対の押釦とを備えている。各押釦の外方付勢力に抗する個別の押し込みで、閉状態の蓋体の個別の係止解除が可能で、全体を一部材で構成している。【選択図】図２
2015008936.tif 000002
【特許請求の範囲】
【請求項１】
中皿嵌合部（１２）が形成された皿状の容器本体（Ａ）と、
中皿嵌合部（１２）に嵌着し、二つの収容部（３５）を有する中皿（Ｂ）と、
容器本体（Ａ）にそれぞれ開方向付勢状態で連結して、各収容部（３５）の上面をそれぞれ開閉可能に閉塞する一対の蓋体（Ｄ）と、
各蓋体（Ｄ）の個別の係止、係止解除が可能な蓋開閉部材（Ｃ）とを備え、
蓋開閉部材（Ｃ）は、開状態の各蓋体（Ｄ）を個別に閉じることで、各蓋体（Ｄ）の個別の係止が可能な係止機構と、該係止機構と連係し、外方付勢状態で容器本体（Ａ）の周壁（１１）に押し込み可能に臨ませた一対の押釦（５０）とを備え、
各押釦（５０）の外方付勢力に抗する個別の押し込みで、閉状態の蓋体（Ｄ）の個別の係止解除が可能で、全体を一部材で構成していることを特徴とするコンパクト容器。
【請求項２】
蓋開閉部材（Ｃ）は、中皿（Ｂ）と容器本体（Ａ）との間に画成した収納部（３８）に収納して装着され、  それぞれ上面に係止突起（５３）を突設して併設された一対のスライド基板（５１）と、
各スライド基板（５１）の対向する端部にそれぞれ連設した一対の押釦（５０）と、
中央部を容器本体（Ａ）に係止して各スライド基板（５１）間を連結した弾性板（５２）と、を備え、
上記係止機構は、各蓋体（Ｄ）より垂設した係合突起（７３）を各係止突起（５３）と係合させることで構成した請求項１に記載のコンパクト容器。
【請求項３】
弾性板（５２）は、それぞれの端部を各スライド基板（５１）に連結した平面視蛇行湾曲状なし、中央部に嵌合筒部（５５）を備え、嵌合筒部（５５）を容器本体底壁（１０）に立設した支軸（１５）に嵌合して中央部を容器本体（Ａ）に係止した請求項２に記載のコンパクト容器。
【請求項４】
係止突起（５３）をスライド基板（５１）の基端部及び先端部に一対立設し、蓋体（Ｄ）裏面の係止突起（５３）対応位置に一対の係合突起（７３）を垂設した請求項２又は請求項３に記載のコンパクト容器。
【請求項５】
蓋体（Ｄ）の開方向付勢状態を、容器本体（Ａ）に軸着する蓋体（Ｄ）のボス（７２）内側面を押圧する弾性部材（１６）を、容器本体（Ａ）に設けて構成した請求項１乃至請求項４のいずれか１項に記載のコンパクト容器。
【請求項６】
蓋体（Ｄ）の開方向付勢状態を、容器本体（Ａ）と、容器本体（Ａ）に軸着する蓋体（Ｄ）のボス（７２）との間にかけ渡した枢着軸（１７）にトーョンバネ（Ｓ）をセットして構成した請求項１乃至請求項４のいずれか１項に記載のコンパクト容器。
【請求項７】
各蓋体（Ｄ）の裏面にそれぞれ、形態の相違する鏡（ｍ）を装着してなる請求項１乃至請求項６のいずれか１項に記載のコンパクト容器。
【発明の詳細な説明】
【技術分野】
【０００１】
本発明はコンパクト容器に関する。
【背景技術】
【０００２】
コンパクト容器として、皿状の容器本体と、該容器本体の上面を開閉可能に閉塞する蓋体とを備え、容器本体には中皿を嵌着したものが種々知られている。（例えば、引用文献１参照）
【０００３】
上記した従来のコンパクト容器では、中皿に化粧品を収納する化粧品収容部と、化粧品を塗布するための塗布具を収納する塗布具収容部とを凹設している。また、塗布具収容部の代わりに別の化粧品を収納する化粧品収容部として、化粧品収容部を二つ備えたものも知られている。
【先行技術文献】
【特許文献】
【０００４】
【特許文献１】特開２０１２−２４９６７５号公報
【発明の概要】
【発明が解決しようとする課題】
【０００５】
上記従来のコンパクト容器は、上記した如く一つの蓋体を備え、二つの収容部を備えているため、例えば蓋体を開いた際に化粧品の粉末が舞い上がって、隣の塗布具収容部に収納された塗布具に付着するという不都合が生じる虞がある。また、二種類の化粧品を収納している場合は互いの化粧品が混ざってしまうという不都合が生じる虞がある。
【０００６】
本発明は上記した点に鑑みてなされたもので、開蓋の際に化粧品が他の収容部に収納された化粧品と混じってしまうことがなく、或いは、化粧品が他の収容部に収納された塗布具を汚損する虞がなく、また、取り扱いも便利なコンパクト容器を提案する。
【課題を解決するための手段】
【０００７】
第１の手段として、以下の通り構成した。即ち、
中皿嵌合部１２が形成された皿状の容器本体Ａと、
中皿嵌合部１２に嵌着し、二つの収容部３５を有する中皿Ｂと、
容器本体Ａにそれぞれ開方向付勢状態で連結して、各収容部３５の上面をそれぞれ開閉可能に閉塞する一対の蓋体Ｄと、
各蓋体Ｄの個別の係止、係止解除が可能な蓋開閉部材Ｃとを備え、
蓋開閉部材Ｃは、開状態の各蓋体Ｄを個別に閉じることで、各蓋体Ｄの個別の係止が可能な係止機構と、該係止機構と連係し、外方付勢状態で容器本体Ａの周壁１１に押し込み可能に臨ませた一対の押釦５０とを備え、
各押釦５０の外方付勢力に抗する個別の押し込みで、閉状態の蓋体Ｄの個別の係止解除が可能で、全体を一部材で構成している。
【０００８】
第２の手段として、以下の通り構成した。即ち、前記第１の手段に於いて、
蓋開閉部材Ｃは、中皿Ｂと容器本体Ａとの間に画成した収納部３８に収納して装着され、それぞれ上面に係止突起５３を突設して併設された一対のスライド基板５１と、
各スライド基板５１の対向する端部にそれぞれ連設した一対の押釦５０と、
中央部を容器本体Ａに係止して各スライド基板５１間を連結した弾性板５２と、を備え、
上記係止機構は、各蓋体Ｄより垂設した係合突起７３を各係止突起５３と係合させることで構成した。
【０００９】
第３の手段として、以下の通り構成した。即ち、前記第２の手段に於いて、
弾性板５２は、それぞれの端部を各スライド基板５１に連結した平面視蛇行湾曲状なし、中央部に嵌合筒部５５を備え、嵌合筒部５５を容器本体底壁１０に立設した支軸１５に嵌合して中央部を容器本体Ａに係止した。
【００１０】
第４の手段として、以下の通り構成した。即ち、前記第２の手段又は第３の手段に於いて、
係止突起５３をスライド基板５１の基端部及び先端部に一対立設し、蓋体Ｄ裏面の係止突起５３対応位置に一対の係合突起７３を垂設した。
【００１１】
第５の手段として、以下の通り構成した。即ち、前記第１の手段乃至第４の手段のいずれかの手段に於いて、
蓋体Ｄの開方向付勢状態を、容器本体Ａに軸着する蓋体Ｄのボス７２内側面を押圧する弾性部材１６を、容器本体Ａに設けて構成した。
【００１２】
第６の手段として、以下の通り構成した。即ち、前記第１の手段乃至第４の手段のいずれかの手段に於いて、
蓋体Ｄの開方向付勢状態を、容器本体Ａと、容器本体Ａに軸着する蓋体Ｄのボス７２との間にかけ渡した枢着軸１７にトーョンバネＳをセットして構成した。
【００１３】
第７の手段として、以下の通り構成した。即ち、前記第１の手段乃至第６の手段のいずれかの手段に於いて、
各蓋体Ｄの裏面にそれぞれ、形態の相違する鏡ｍを装着した。
【発明の効果】
【００１４】
本発明によれば、一対の蓋体Ｄを備え、それらが個別の開閉が可能であるため、各蓋体Ｄで閉塞される収容化粧品が開蓋の際に他の収容部３５内に飛散する等の不都合を防止できるという特徴がある。また、蓋開閉部材は全体を一部材で形成しているため、製造が容易であり、組み付けも容易となる。また、その取り扱い操作も、開状態の各蓋体Ｄを個別に閉じることで、各蓋体Ｄの個別の係止が可能であり、押釦５０を押圧することで個別の蓋体Ｄを容易に開蓋することができるという簡便さがある。
【００１５】
蓋開閉部材Ｃは、中皿Ｂと容器本体Ａとの間に画成した収納部３８に収納して装着され、それぞれ上面に係止突起５３を突設して併設された一対のスライド基板５１と、各スライド基板５１の対向する端部にそれぞれ連設した一対の押釦５０と、中央部を容器本体Ａに係止して各スライド基板５１間を連結した弾性板５２と、を備え、上記係止機構は、各蓋体Ｄより垂設した係合突起７３を各係止突起５３と係合させることで構成した場合には、蓋体Ｄの係止及び係止解除の操作を無理なく円滑に行なえる特徴がある。
【００１６】
弾性板５２は、それぞれの端部を各スライド基板５１に連結した平面視蛇行湾曲状なし、中央部に嵌合筒部５５を備え、嵌合筒部５５を容器本体底壁１０に立設した支軸１５に嵌合して中央部を容器本体Ａに係止した場合には、適正位置への蓋開閉部材Ｃの組み付けを容易に行なえる。
【００１７】
係止突起５３をスライド基板５１の基端部及び先端部に一対立設し、蓋体Ｄ裏面の係止突起５３対応位置に一対の係合突起７３を垂設した場合には、蓋体Ｄの係止をより安定して行なえる。
【００１８】
蓋体Ｄの開方向付勢状態を、容器本体Ａに軸着する蓋体Ｄのボス７２内側面を押圧する弾性部材１６を、容器本体Ａに設けて構成した場合には、弾性部材１６の組み付け工程が例えばインサート成形等により簡単に行なえる利点がある。
【００１９】
各蓋体Ｄの裏面にそれぞれ、形態の相違する鏡ｍを装着してなる場合には、例えば、凹面鏡と平面鏡との異なる形態の鏡を一つのコンパクト容器で使用することができる利点がある。
【図面の簡単な説明】
【００２０】
【図１】コンパクト容器を示す平面図である。（第１実施例）
【図２】開蓋状態の縦断面図である。（第１実施例）
【図３】図１のＶ−Ｖ線に沿う拡大縦断面図である。（第１実施例）
【図４】図１のＷ−Ｗ線に沿う拡大縦断面図である。（第１実施例）
【図５】図１のＸ−Ｘ線に沿う拡大横断面図である。（第１実施例）
【図６】図１のＹ−Ｙ線に沿う縦断面図である。（第１実施例）
【図７】図１のＺ−Ｚ線に沿う縦断面図である。（第１実施例）
【図８】コンパクト容器の正面図である。（第１実施例）
【図９】コンパクト容器の右側面図である。（第１実施例）
【図１０】蓋体付勢を説明する要部縦断面図である。（第２実施例）
【図１１】蓋体付勢を説明する要部平面図である。（第２実施例）
【発明を実施するための形態】
【００２１】
以下、本発明の形態を図面を参照して説明する。
【００２２】
図１乃至図９は本発明のコンパクト容器の第１実施例を示す。尚、説明の便宜上、図１に於いて、下方を前部、上方を後部、左方を左側部、右方を右側部、紙面と直行する手前を上部、奥方を下部として説明する。コンパクト容器１は、容器本体Ａと、中皿Ｂと、蓋開閉部材Ｃと、一対の蓋体Ｄとを備えている。
【００２３】
容器本体Ａは合成樹脂等により形成されたもので、底壁１０周縁部より周壁１１を起立した平面視が略横長長方形状をなす皿状をなし、内部に中皿嵌合部１２を画成している。また、周壁１１部分の両側中央部をそれぞれ内方へ凹ませた、一対の蓋体取り付け用の凹部１３を備えている。便宜上右側の蓋体取り付け用の凹部１３を第１凹部１３ａとし、左側の蓋体取り付け用の凹部１３を第２凹部１３ｂとする。
【００２４】
また、周壁１１部分の前部及び後部には、蓋開閉部材Ｃの後述する押釦５０を臨ませるための窓孔１４を穿設している。この場合も便宜上、前部の窓孔１４を第１窓孔１４ａ、後部の窓孔１４を第２窓孔１４ｂとしている。第１窓孔１４ａは左右中央線より右側近傍位置に、第２窓孔１４ｂは左右中央線より左側近傍位置にそれぞれ穿設している。各窓孔１４の左右は後述する押釦５０の押圧が容易な如きテーパ状に形成している。さらに、底壁１０上面より、蓋開閉部材Ｃを係止する一対の支軸１５を突設している。各支軸１５は、底壁１０の左右中央線上に、互いに間隔をあけ、また、周壁１１からも間隔をあけて突設している。尚、ここでいう左右中央線は、各部位の位置関係を平面的に捉える上で、二次元に於ける左右の中央を縦断する線を指し、例えば、図１の場合でいえば中央部を縦断する左右中央線Ｌとしている。
【００２５】
中皿Ｂも合成樹脂等により形成され、底壁部３０の周縁部より周壁部３１を起立し、周壁部３１の上端より外方へフランジ部３２を延設しており、容器本体Ａの中皿嵌合部１２内に嵌着固定される。中皿Ｂは、左右中央部を縦断する一対の隔壁部３３を備えており、各隔壁部３３上を頂壁部３４で連結している。そして、中皿Ｂの左右に一対の収容部３５を画成している。便宜的に右側を第１収容部３５ａ、左側を第２収容部３５ｂとしている。各収容部３５には化粧品を充填したり、化粧具を収納することができる。第１収容部３５ａ、第２収容部３５ｂの両方に化粧品を充填することも可能である。
【００２６】
中皿Ｂは、周壁部３１の左右中央部の前後に、内方へ凹む凹陥部３６をそれぞれ設け、また、底壁１０左右中央部を縦断し、前端部及び後端部がそれぞれ凹陥部３６と連続する隆起部３７を設けており、各凹陥部３６と容器本体周壁１１とで画成された空間部分と、隆起部３７と容器本体底壁１０で画成された空間部分とで、蓋開閉部材Ｃを収納設置する収納部３８を画成している。隆起部３７の中央に上記各隔壁部３３を延設している。
【００２７】
第１実施例では、前部の凹陥部３６を第１凹陥部３６ａとし、後部の凹陥部３６を第２凹陥部３６ｂとしている。各凹陥部３６は、横幅と奥行きが大きい部分と、横幅と奥行きが小さい部分を連続して形成しており、その外方の容器本体周壁１１との間に、蓋開閉部材Ｃの後述する係止突起５３が起立可能で且つ蓋開閉部材Ｃの後述する押釦５０の押し込みが可能な奥行きと幅を備えた空間部分と、蓋開閉部材Ｃの後述する係止突起５３が起立可能で奥行きと横幅が小さい空間部分とを、容器本体Ａの周壁１１とで連続して画成している。第１凹陥部３６ａと容器本体周壁１１とで画成する空間部分と、第２凹陥部３６ｂと容器本体周壁１１とで画成する空間部分と、隆起部３７と容器本体底壁１０で画成する空間部分とで、蓋開閉部材Ｃを収納設置する収納部３８を形成している。収納部３８の前端部は第１窓孔１４ａと連続し、後端部は第２窓孔１４ｂと連続し、また、収納部の中間部分である、隆起部３７と容器本体底壁１０とで画成される部分の中央所定位置には上記各支軸１５を突設している。
【００２８】
蓋開閉部材Ｃは、各窓孔１４に押し込み可能に嵌合させた一対の押釦５０を備え、各押釦５０にそれぞれ連続して収納部３８にスライド可能に載置させた一対のスライド基板５１を備えている。また、各スライド基板５１を弾性板５２により連結している。さらに、各スライド基板５１の上面には、蓋体Ｄを係止するための係止突起５３がそれぞれ立設されている。
【００２９】
第１実施例では、第１窓孔１４ａに押し込み可能に嵌合させた第１押釦５０ａの後面下部より前後方向に長い矩形状をなす第１スライド基板５１ａを延設し、第１スライド基板５１ａ上面の前部及び後端部に一対の第１係止突起５３ａをそれぞれ立設している。各第１係止突起５３ａの前面には、蓋体Ｄを係止するための係止凸部５４をそれぞれ突設している。また、第２窓孔１４ｂに押し込み可能に嵌合させた第２押釦５０ｂの前面下部より前方へ、前後方向に長い矩形状をなす第２スライド基板５１ｂを延設し、第２スライド基板５１ｂ上面の後部及び前端部に一対の第２係止突起５３ｂをそれぞれ立設している。各第２係止突起５３ｂの後面には、蓋体Ｄを係止するための係止凸部５４をそれぞれ突設している。
【００３０】
また、第１スライド基板５１ａ及び第２スライド基板５１ｂ間相互を、平面視逆Ｓ字状の弾性板５２で連結している。弾性板５２は中央に設けられた嵌合筒部５５を介して連続形成されており、この嵌合筒部５５を支軸１５に嵌合している。弾性板５２は前後間隔をあけて一対掛け渡している。そして、押釦５０の押し込みによりスライド基板５１が押し込まれ、それに伴って係止突起５３が移動し、また、押圧を解除すると、弾性板５２の作用で元の状態に復元する如く構成している。
【００３１】
蓋体Ｄは一対設けられており、便宜上、右側を第１蓋体Ｄ１と、左側を第２蓋体Ｄ２とする。また、各蓋体Ｄは、頂壁７０の周縁部より周壁７１を垂設した伏せ皿状をなし、頂壁７０の一端部裏面より垂設したボス７２を、各蓋体取り付け用の凹部１３内に嵌合軸着させている。各蓋体Ｄの裏面にはそれぞれ形態の相違する鏡ｍを装着固定している。第１実施例では、第１蓋体Ｄ１裏面に平面鏡を、第２蓋体Ｄ２裏面に凹面鏡を設けている。尚、本例では平面鏡と凹面鏡を設けた例を示したが、この平面鏡と凹面鏡との組合せに限らず、平面鏡、凹面鏡の他に他の形態の鏡を加えた複数種類の中から２種類を選択して組合せることが可能であり、また、二つの同じ形態の鏡を採用することも可能である。また、各蓋体Ｄの頂壁７０裏面には，蓋開閉部材Ｃの各係止突起５３と係合する係合突起７３を突設している。
【００３２】
第１実施例に於いて、第１蓋体Ｄ１の頂壁７０先端部裏面の前後に第１係合突起７３ａを突設しており、各第１係合突起７３ａの後面には、各第１係止突起５３ａの各係止凸部５４とそれぞれ係合する係合凸部７４を突設している。また、第２蓋体Ｄ２の頂壁７０先端部裏面の前後に第２係合突起７３ｂを突設しており、各第２係合突起７３ｂの前面には、各第１係止突起５３ａの各係止凸部５４とそれぞれ係合する係合凸部７４を突設している。各係合突起７３は、中皿Ｂの凹陥部３６該当部分のフランジ部３２に穿設した透孔３９を介して、その下方に位置する各係止突起５３と係合する如く構成している。
【００３３】
また、各蓋体Ｄは、閉蓋時に常時開方向へ付勢されている。第１実施例では、容器本体Ａの蓋体取り付け用の凹部１３の奥面に固定した弾性部材１６により常時開方向へ付勢されている。弾性部材１６は、蓋体取り付け用の凹部１３の奥面に固定した基板部１６ａの上部より外方へ突条１６ｂを一体に突設した形態をなし、この突条１６ｂはボス７２の軸着部分より上方位置にあり、閉蓋時に突条１６ｂによりボス７２を常時外方へ押圧している。
【００３４】
尚、この付勢手段としては、上記したものに限らず、例えば図１０、図１１に示す第２実施例の如く、容器本体Ａと、容器本体Ａに軸着する蓋体Ｄのボス７２との間にかけ渡した枢着軸１７にトーョンバネＳをセットして常時蓋体Ｄを開方向へ付勢させても良い。
【００３５】
上記の如く構成した、コンパクト容器１を使用する場合について説明する。図１の状態から、例えば、第１押釦５０ａを押圧することで、各弾性板５２を弾性変形させつつ第１スライド基板５１が押し込まれ、それに伴って各第１係止板１が後方へ移動することで、各第１係止板１の各係止凸部５４が後方へ移動し、各係合凸部７４との係合が外れ、開方向付勢手段により第１蓋体Ｄ１が開き、その際、第１押釦５０ａの押圧を解除すれば、各弾性板５２の弾性復元力により第１スライド基板５１ａが元の状態に復元され、同時に第１押釦５０ａも元の状態に復元される。また、開いた第１蓋体Ｄ１を閉じることで、各第１係合突起７３ａの各係合凸部７４が、各第１係止突起５３ａの各係止凸部５４と乗り越え係合し、閉蓋状態を維持する。
【００３６】
同様に第２押釦５０ｂを押圧することで第２蓋体Ｄ２が開蓋し、また、開蓋した第２蓋体Ｄ２を閉じることで、同様に閉蓋する。従って、各第１蓋体Ｄ１、第２蓋体Ｄ２は個別の開閉が可能である。
【符号の説明】
【００３７】
１：コンパクト容器
Ａ：容器本体
１０…底壁、１１…周壁、１２…中皿嵌合部、１３…蓋体取り付け用の凹部、
１３ａ…第１凹部、１３ｂ…第２凹部、１４…窓孔、１４ａ…第１窓孔、
１４ｂ…第２窓孔、１５…支軸、、１６…弾性部材、１６ａ…基板部、
１６ｂ…突条、１７…枢着軸
Ｂ：中皿
３０…底壁部、３１…周壁部、３２…フランジ部、３３…隔壁部、３４…頂壁部、
３５…収容部、３５ａ…第１収容部、３５ｂ…第２収容部、３６…凹陥部、
３６ａ…第１凹陥部、３６ｂ…第２凹陥部、３７…隆起部、３８…収納部、３９…透孔
Ｃ：蓋開閉部材
５０…押釦、５０ａ…第１押釦、５０ｂ…第２押釦、５１…スライド基板、
５１ａ…第１スライド基板、５１ｂ…第２スライド基板、５２…弾性板、
５３…係止突起、５３ａ…第１係止突起、５３ｂ…第２係止突起、５４…係止凸部、
５５…嵌合筒部
Ｄ：蓋体
Ｄ１…第１蓋体、Ｄ２…第２蓋体
７０…頂壁、７１…周壁、７２…ボス、７３…係合突起、７３ａ…第１係合突起、
７３ｂ…第２係合突起、７４…係合凸部、
Ｓ：トーションバネ
ｍ：鏡
【図１】
2015008936.tif 000003
【図２】
2015008936.tif 000004
【図３】
2015008936.tif 000005
【図４】
2015008936.tif 000006
【図５】
2015008936.tif 000007
【図６】
2015008936.tif 000008
【図７】
2015008936.tif 000009
【図８】
2015008936.tif 000010
【図９】
2015008936.tif 000011
【図１０】
2015008936.tif 000012
【図１１】
2015008936.tif 000013